(57)【要約】【課題】モータにブレーキをかけて洗浄水の飛び出しを抑制する手法を行った場合においても、トライアック等の素子温度が上昇し破損するのを防止する食器洗い機を実現する。【解決手段】ロック手段２１の解除を検知するスイッチと、モータ２６駆動中にスイッチが動作した場合モータ２６にブレーキをかける制御手段を備え、ブレーキ終了後は一定時間モータ２６を駆動させない待機時間を設けトライアック等の制御素子を冷却させることにより、前記素子の温度上昇を抑制することを可能としたもので、安全性の高い食器洗い機を実現できる。【選択図】図１
2010051511.tif 000002
【特許請求の範囲】
【請求項１】
被洗浄物を収容する洗浄槽と、洗浄水を加圧し前記洗浄槽内に供給する洗浄ポンプと、前記洗浄ポンプを駆動するモータと、前記洗浄槽の開口部を開閉する扉体と、前記扉体の閉成状態を維持するロック手段と、前記ロック手段の解除操作をおこなうロック解除操作部と、前記ロック手段の解除を検知する検知手段と、前記モータ駆動中に前記検知手段が前記ロック手段の解除を検知した場合前記モータにブレーキをかける制御手段と、を備え、前記ブレーキ終了後は前記モータを駆動させない待機時間を設けた食器洗い機。
【請求項２】
待機時間は、運転開始から運転終了までに検知手段がロック手段の解除を検知した回数に応じて異なる請求項１に記載の食器洗い機。
【請求項３】
待機時間は、運転開始から運転終了までに検知手段が所定回数以上ロック手段の解除を検知した場合、動作する前より長くなる請求項２に記載の食器洗い機。
【請求項４】
待機時間は、運転開始から運転終了までに検知手段がロック手段の解除を検知した回数に比例して長くする請求項２に記載の食器洗い機。
【発明の詳細な説明】
【技術分野】
【０００１】
本発明は、洗浄水の噴射により食器等の洗浄を行う食器洗い機に関する。
【背景技術】
【０００２】
従来のこの種の食器洗い機は、図７に示すように構成されていた（例えば、特許文献１参照）。
【０００３】
図７において、従来の食器洗い機は、食器等の被洗浄物１０１を洗浄槽１０２に収納し、洗浄槽１０２に設けた前面開口部１０３を扉体、具体的には上扉体１０４と下扉体１０５により閉塞してから洗浄ポンプ１０６を運転し洗浄水を噴射することにより、被洗浄物１０１の洗浄およびすすぎ工程を行うようになっている。
【０００４】
洗浄ポンプ１０６は洗浄およびすすぎ工程が終了した場合自動的に停止するが、洗浄およびすすぎ工程中においても使用者が一時停止ボタンを押した場合は動作を停止する。
【０００５】
しかし、一時停止ボタンを押さずに扉体のロック手段を解除する押しボタンスイッチを押した場合、洗浄ポンプ１０６が動作した状態で扉体が開放されるため、洗浄水が洗浄槽１０２間口より機外に飛び出す危険がある。特に、洗浄工程や加熱すすぎ工程においては洗浄水を加熱するため、機外に飛び出した場合には危険である。
【０００６】
そのため、従来の食器洗い機は扉体のロック手段に連動させた安全スイッチを設け、扉体が閉塞していない状態では洗浄ポンプ１０６を動作させない構成となっている。また、洗浄モータ１０７動作中に扉体のロックが解除された場合には、直ちに動作を停止させる構成となっている。
【０００７】
しかし、モータ１０７の動作を停止させた場合でも、モータ１０７の惰性により洗浄水の噴射は一定時間止まらないため、洗浄水が洗浄槽１０２間口より機外に飛び出してしまうという課題がある。
【０００８】
また、モータは、逆向きの電流を流すことによって、ブレーキがかけられることが知られている（例えば、特許文献２参照）。
【特許文献１】特開２００２−２１９０８３号公報
【特許文献２】特開平１０−１２７５５５号公報
【発明の開示】
【発明が解決しようとする課題】
【０００９】
しかしながら、上記の手法を用いた場合、モータにブレーキをかける際に生じる逆起電力により、モータを駆動するトライアック等の素子に電流が流れ、温度上昇が生じる。したがって、洗浄工程中に扉体の開閉動作を繰り返した場合、ブレーキ動作が繰り返し行われるため、素子の温度が上昇し、素子が破損する恐れがある。
【００１０】
本発明は上記の課題を解決するもので、モータにブレーキをかけ、洗浄水の飛び出しを抑制する場合でも、トライアック等の素子の温度が上昇し破損するのを防止するもので、安全性の高い食器洗い機を提供することを目的としている。
【課題を解決するための手段】
【００１１】
前記の課題を解決するために、本発明の食器洗い機は、被洗浄物を収容する洗浄槽と、
洗浄水を加圧し前記洗浄槽内に供給する洗浄ポンプと、前記洗浄ポンプを駆動するモータと、前記洗浄槽の開口部を開閉する扉体と、前記扉体の閉成状態を維持するロック手段と、前記ロック手段の解除操作をおこなうロック解除操作部と、前記ロック手段の解除を検知する検知手段と、前記モータ駆動中に前記検知手段がロック手段の解除を検知した場合前記モータにブレーキをかける制御手段と、を備え、ブレーキ終了後は前記モータを駆動させない待機時間を設けたことにより、トライアック等の制御素子を冷却させる時間を確保し、前記素子の温度上昇による破損を防止することを可能としたもので、安全性の高い食器洗い機を実現できる。
【発明の効果】
【００１２】
本発明の食器洗い機は、洗浄ポンプが動作中に扉体のロック手段が解除された場合にも洗浄水の機外への飛び出しを抑制するとともに、トライアック等の制御素子の破損を防止することを可能としたもので、安全性を向上させることができる。
【発明を実施するための最良の形態】
【００１３】
第１の発明は、被洗浄物を収容する洗浄槽と、洗浄水を加圧し前記洗浄槽内に供給する洗浄ポンプと、前記洗浄ポンプを駆動するモータと、前記洗浄槽の開口部を開閉する扉体と、前記扉体の閉成状態を維持するロック手段と、前記ロック手段の解除操作をおこなうロック解除操作部と、前記ロック手段の解除を検知する検知手段と、前記モータ駆動中に前記検知手段が前記ロック手段の解除を検知した場合前記モータにブレーキをかける制御手段と、を備え、前記ブレーキ終了後は前記モータを駆動させない待機時間を設けたことにより、トライアック等の素子を冷却させる時間を確保し、素子の温度上昇を抑制することを可能としたもので、安全性の高い食器洗い機を実現できる。
【００１４】
第２の発明は、第１の発明において特に、待機時間は、運転開始から運転終了までに検知手段がロック手段の解除を検知した回数に応じて異なるように構成したことにより、ロック手段の解除を検知した回数が少ない場合は、トライアック等の素子はそれほぞ温度が上昇していないので、待機時間を短くすることができ、その結果冷却時間を設けることによる運転全体の延長を抑えることができる。
【００１５】
第３の発明は、第１もしくは第２の発明において特に、待機時間は、運転開始から運転終了までに検知手段が所定回数以上ロック手段の解除を検知した場合、動作する前より長くなることにより、トライアック等の素子が温度上昇した場合でも、待機時間を長くすることにより、素子の冷却時間を確保でき、より確実に素子の温度上昇を抑制することができる。
【００１６】
第４の発明は、第１もしくは第２の発明において特に待機時間は、運転開始から運転終了までに検知手段がロック手段の解除を検知した回数に比例して長くすることにより、運転全体の時間を短くし、素子の温度上昇を抑制することができる。
【００１７】
以下、本発明の実施の形態について、図面を参照しながら説明する。
【００１８】
（実施の形態１）
図１は本発明の実施の形態における食器洗い機の扉体閉成時の側断面図、図２は同食器洗い機の形態における食器洗い機の扉体閉成時の側壁部断面、図３は同食器洗い機の扉体開成時の側壁部断面図、図４は同食器洗い機の扉体開成時の斜視図、図５は本発明に係るモータブレーキの動作回数と待機時間の制御のフローチャート、図６は本発明に係るモータブレーキの動作回数と待機時間の関係を示すグラフである。
【００１９】
図１〜図６において、食器洗い機の本体１内部には、洗浄槽２が設けられており、洗浄
槽２の内部には、食器などの被洗浄物３をセットする食器かご４が収納されている。洗浄槽２は、洗浄槽下部２ａと洗浄槽下部２ｂに分けられている。洗浄槽２の前面には開口部５が設けられており、開口部５を開閉する扉体が設けられている。具体的には、開口部５の上部、下部の夫々を上扉体６と下扉体７により開閉するよう構成されている。また、上扉体６下端部には受け部８を設けてあり、受け部８には扉体間シールパッキン９が取付けられており、下扉体７に設けた扉体間押圧部１０とによって、上扉体６と下扉体７との間のシールを構成している。
【００２０】
洗浄槽下部２ａは回転自在に設けられた洗浄ノズル１１と、洗浄水を加圧し洗浄ノズル１１へ洗浄水を供給することにより、洗浄槽２内に洗浄水を供給し被洗浄物３を洗浄する洗浄ポンプ１２と、洗浄ポンプ１２を駆動するモータ１３と、洗浄水を貯水する洗浄水貯水部１４が設けられている。
【００２１】
上扉体６は、洗浄槽２の側壁に設けた第１の回転軸１５により回転自在に軸支された上扉支持部材１６に固定されている。洗浄槽２の側壁には、上扉支持部材１６と当接する第１のストッパー部１７が設けられており、上扉体６が、開口部５の前下方にその内面が上向き略水平となる位置まで開成するよう構成されている。
【００２２】
下扉体７は、洗浄槽２側壁の開口部５下端部近傍で第２の回転軸１８により回転自在に軸支された下扉支持部材１９に固定されている。洗浄槽２の側壁には、開成時に下扉支持部材１９と当接する第２のストッパー部２０が設けられており、下扉体７が、開口部５の前下方にその内面が上向き略水平となる位置まで開成するよう構成されている。なお、下扉体７の開成位置は上扉体６の開成位置の下方に位置するよう構成されている。
【００２３】
下扉体７は、押しボタンスイッチ２１（ロック解除操作部）と、洗浄槽２側壁に設けた係止部２２に係止するとともに下扉体７を開口部５を閉成した状態で維持するためのロック手段２３とを有しており、下扉体７は、押しボタンスイッチ２１が押されると、それに連動してロック手段２３が係止部２２から解除され、開放されるように構成している。
また、洗浄槽２側壁には、ロック手段２３と連動した検知手段２４を設けてあり、ロック手段が解除された状態を検知できる構成となっている。
【００２４】
また、洗浄槽下部２ａの下部には、制御装置２５が配設されており、モータ１３の制御や検知手段２４によるロック手段２３の解除の検知の回数を測定することができる。また、モータ１３の駆動中に検知手段９がロック手段２３の解除を検知した場合、モータ１３の逆向きの電流を流し、モータ１３にブレーキをかける。
【００２５】
また、一端が第１の連結点２６で下扉支持部材１９と回転自在に連結され、他端が第２の連結点２７で上扉支持部材１６と回転自在に連結された連動部材２８により、上扉体６と下扉体７は連動して開口部５の前下方に重ね合わせるように開閉する構成となっている。
【００２６】
また、下扉体７の上端には操作部２９が設けられており、使用者が下扉体７を開閉すると連動して上扉体６も開閉する。なお、操作部２９は閉成状態では上扉体６の下端部で覆われている。
【００２７】
以上のように構成された本実施の形態における食器洗い機についてその動作、作用を説明する。
【００２８】
洗浄槽２内の食器かご４に食器等の被洗浄物３を配置して収容し、運転を開始すると、モータ１３が動作し、洗浄ポンプ１２により加圧された洗浄水が洗浄ノズル１１から被洗
浄物３へ噴射される。洗浄工程およびすすぎ工程が終了すると、ポンプ１２は停止し洗浄ノズル１１からの噴射は自動的に停止する。
【００２９】
また、洗浄ポンプ１２の動作中であっても、操作パネル２９の一時停止ボタンを押すことで洗浄ポンプ１２の動作は停止する。その場合、上扉体６および下扉対７が閉塞した状態にあれば、再度一時停止ボタンを押すことで運転が途中から再開される。
【００３０】
また、洗浄ポンプ動作時に、一時停止ボタンを押さずに押しボタンスイッチ２１が押され、係止部２２からロック手段２３が解除されると、検知手段２４によりロック手段２３の解除が検知され、モータ１３の動作が停止される。しかしこの場合、モータ１３は瞬間的に停止するわけではないので、モータ１３の惰性により洗浄水の噴射は一定時間止まらないため、洗浄水が洗浄槽２の開口部５より機外に飛び出してしまうという恐れがある。
【００３１】
そこで、モータ１３にブレーキをかけてモータ１３を急峻に停止させ、惰性による洗浄水の噴射を抑制させる方法が考えられる。モータ１３にブレーキをかける手段としては、例えばモータ１３を反転させる方法がある。この方法を用いれば、電気的な制御により洗浄水の噴射を抑制できる。
【００３２】
しかし、このような手法を用いた場合、モータ１３にブレーキをかけることにより生じる逆起電力により、モータ１３を駆動するトライアック等の素子に電流が流れ、素子の温度が上昇する。
【００３３】
したがって、洗浄工程中に上扉体６もしくは下扉体７の開閉動作を繰り返した場合、ブレーキ動作が繰り返し行われるため、トライアック等の素子の温度が急激に上昇し、素子が破損する恐れがある。
【００３４】
この課題を解決するために、ブレーキ終了後は一定時間モータ１３を駆動させない待機時間を設けている。つまり、使用者が洗浄ポンプ１２動作中に押しボタンスイッチ２１を押して上扉体６および下扉体７を開放した後、すぐに上扉体６および下扉体７を再び閉成状態にしたとしても、一定時間が経過するまではモータ１３は動作を行わない。
【００３５】
これにより、トライアック等の素子の冷却時間を確保することができるため、例えば使用者が故意に上扉体６および下扉体７の開閉動作を繰り返す操作を行ったとしても、素子温度が急激に上昇し破損に至るのを避けることができる。
【００３６】
上記手法により、安全性の高い食器洗い機が実現できるが、素子冷却のための待機時間を設けることによる運転の延長が生じることは否めない。また、使用者にとっては、上扉体６および下扉体７を閉塞したにもかかわらず運転が再開しないため、不快に思ったり、故障と間違われる可能性がある。
【００３７】
これに対応するために、運転開始から運転終了までに検知手段が動作した回数に応じて待機時間を異なる値とする。図５のフローチャートおよび図６（パターン１）に示すように、ブレーキ動作を行った回数が少ない場合は、素子の温度上昇も少ないため、待機時間を短く設定する（ｙ秒）。もし、１回の運転開始から終了までに一定回数（ａ回）以上のブレーキ動作を行った場合は、待機時間を延ばして冷却時間を長くする（ｚ秒）。
【００３８】
一般的に、使用者が洗浄ポンプ１２動作中に上扉体６および下扉体７を開放するケースとしては、運転開始前に入れ忘れた被洗浄物３の追加をする場合が考えられる。したがって、通常の使用状況下では、洗浄ポンプ１２の動作中に上扉体６および下扉体７を開放するのは、１度の運転サイクル中に１、２回程度であると考えられる。
【００３９】
したがって、例えばブレーキ動作が５回以内である場合は冷却時間を短く（例えば、ｙ＝３秒程度）設定しておけば、一般的な使用下では冷却時間を設けることによる運転の延長はほとんど生じない。
【００４０】
ここで、ブレーキ動作を行った回数（ａ回）と待機時間（ｙ、ｚ秒）の関係は、ブレーキ時間（ｘ秒）や素子の性能を踏まえて、ブレーキに伴う温度上昇を予め計測することで決定すればよい。なお、ｚ秒の待機時間を設けた場合は、ブレーキ動作を何度繰り返しても、素子の温度は耐熱温度に達さないものとする。
【００４１】
また、図６のグラフのパターン２のようにブレーキを行った回数と待機時間をブレーキを行った回数に比例して徐々に長くしていく方法もある。この場合、ロック手段の解除検知回数が少ないときは待機時間を短くし、多いときは待機時間を長くすることにより、運転全体の時間を短くし、素子の温度上昇を抑制することができる。ただし、この場合も最大の待機時間はｚ秒とする。
【００４２】
なお、図５のフローチャートに示されるように、待機時間カウンタＴ（秒）は運転再開と同時にリセットされる。また、ブレーキ回数カウンタＮ（回）は運転終了時にリセットされる。
【００４３】
本手法では、冷却時間は予め決定したブレーキ動作回数と待機時間のテーブルに基づき決定されるため、素子温度を計測するセンサーや複雑な制御を必要としないため、安価に実現可能である。
【産業上の利用可能性】
【００４４】
以上のように、本発明の食器洗い機は洗浄ポンプが動作中に扉体のロック手段が解除された場合にもモータにブレーキをかけることで洗浄水の機外への飛び出しを抑制するとともに、ブレーキに伴う制御素子の温度上昇による前記素子の破損を防止することを可能としたもので、安全性を向上させた食器洗い機として有用である。
【図面の簡単な説明】
【００４５】
【図１】本発明の実施の形態における食器洗い機の扉体閉成時の側断面図
【図２】同食器洗い機の形態における食器洗い機の扉体閉成時の側壁部断面図
【図３】同食器洗い機の扉体開成時の側壁部断面図
【図４】同食器洗い機の扉体開成時の斜視図
【図５】本発明に係るモータブレーキの動作回数と待機時間の制御のフローチャート
【図６】本発明に係るモータブレーキの動作回数と待機時間の関係を示すグラフ
【図７】従来の他の食器洗い機の扉体開成時の側断面図
【符号の説明】
【００４６】
１  本体
２  洗浄槽
１１  洗浄ノズル
１２  洗浄ポンプ
１３  モータ
１４  押しボタンスイッチ
１５  ロック手段
１６  検知手段
１７  制御装置
【図１】
2010051511.tif 000003
【図２】
2010051511.tif 000004
【図３】
2010051511.tif 000005
【図５】
2010051511.tif 000006
【図６】
2010051511.tif 000007
【図４】
2010051511.tif 000008
【図７】
2010051511.tif 000009